(57)【要約】  互いに対応するように同様に形成された継手半体（２．１／２．２）を備え、各上記継手半体（２．１／２．２）はロータリーバルブ（６．１／６．２）の回転体（７．１／７．２）を備える、流体継手（１）。ロータリーバルブ（６．１／６．２）の開閉のための駆動デバイス（１０．１／１０．２）が、各回転体（７．１／７．２）に関連付けられる。各継手半体（２．１／２．２）は、継手軸（４）の周りでの継手半体（２．１／２．２）の相対回転運動によって継手半体（２．１／２．２）を接続及び接続解除するための、連結手段（１１．１／１１．２）を有する。固定手段（１２．１／１２．２）は、少なくとも１つの開放されているロータリーバルブ（６．１／６．２）との連結接続を固定したり、また継手半体の接続解除及びこれに対応する接続を行うために、２つのロータリーバルブ（６．１／６．２）を閉鎖したりする。一方の上記継手半体（２．１／２．２）に配設された上記駆動デバイス（１０．１／１０．２）が、他方の上記継手半体の上記回転体（７．２／７．１）のバルブシャフト（１７．２／１７．１）に関連する駆動シャフト（１６．１／１６．２）を有する。上記継手半体（２．１／２．２）が互いに接続されたときに、一方の上記継手半体の上記駆動シャフト（１６．１／１６．２）を他方の上記継手半体（２．２／２．１）の上記バルブシャフトに回転不可能かつ着脱可能に接続する、ロック接続（１３．２／１３．１）が構成され、関連する上記回転体（７．２／７．１）の回転位置はこれによって制御可能となり、上記継手軸（４）の周りでの上記継手半体（２．１／２．２）の上記相対回転運動がブロックされるものの、上記ロータリーバルブ（６．１／６．２）が閉鎖されると上記相対回転運動が可能となる。【選択図】図１
2021535344.tif 000002
【特許請求の範囲】
【請求項１】
連結側部（５．１／５．２）において着脱可能に接続された２つの継手半体（２．１／２．２）で構成された、流体継手（１）であって、
各前記継手半体は、継手ハウジング（３．１／３．２）を有し、ロータリーバルブ（６．１／６．２）を備え、継手軸（４）に沿って整列され、前記継手半体は、各前記ロータリーバルブ（６．１／６．２）が前記継手軸（４）を横断する方向のバルブ軸（９．１／９．２）の周りで回転可能となるように、前記継手ハウジング（３．１／３．２）上に設置された回転体（７．１／７．２）と、前記回転体を横断する流体通路（８．１／８．２）とを有し、前記流体通路は、前記バルブ軸（９．１／９．２）の周りでの前記回転体（７．１／７．２）の制御可能な回転位置に応じて、前記ロータリーバルブ（６．１／６．２）を開閉し；
前記回転体（７．１／７．２）のうちの１つと、回転位置を制御するために関連付けられている、駆動デバイス（１０．１／１０．２）が、各前記継手半体（２．１／２．２）上に配設され；
各前記継手半体（２．１／２．２）は、前記継手半体（２．１／２．２）を接続する連結手段（１１．１／１１．２）を備え、ここで前記接続は、前記継手軸（４）の周りでの前記継手半体（２．１／２．２）の相対回転運動による、連結解除及びその反対の連結のために、着脱可能なものとして確立でき；
前記継手半体（２．１／２．２）は固定手段（１２．１／１２．２）を有し、前記固定手段（１２．１／１２．２）は、少なくとも１つの前記ロータリーバルブ（６．１／６．２）が開放されているときに、前記継手半体（２．１／２．２）の前記接続を固定するために、前記相対回転運動をブロックし、また前記継手半体（２．１／２．２）の接続解除及びこれに対応する接続のために、前記２つのロータリーバルブ（６．１／６．２）の閉鎖を固定する、流体継手（１）において、
一方の前記継手半体（２．１／２．２）に配設された前記駆動デバイス（１０．１／１０．２）が、他方の前記継手半体（２．２／２．１）の前記ロータリーバルブ（６．２／６．１）の前記回転体（７．２／７．１）のバルブシャフト（１７．２／１７．１）に関連する駆動シャフト（１６．１／１６．２）を有し、前記継手半体（２．１／２．２）が互いに接続されたときに、一方の前記継手半体（２．１／２．２）の前記駆動シャフト（１６．１／１６．２）を他方の前記継手半体（２．２／２．１）の前記バルブシャフト（１７．１／１７．２）に回転不可能かつ着脱可能に接続する、ロック接続（１３．２／１３．１）が構成され、前記回転体（７．２／７．１）の回転位置はこれによって制御可能となり、前記継手軸（４）の周りでの前記継手半体（２．１／２．２）の前記相対回転運動がブロックされるものの、前記ロータリーバルブ（６．１／６．２）が閉鎖されると前記相対回転運動が可能となることを特徴とする、流体継手（１）。
【請求項２】
一方の前記継手半体（２．１／２．２）の前記駆動デバイス（１０．１／１０．２）は、前記継手ハウジング（３．１／３．２）に固定された駆動コネクタ（１４．１／１４．２）を有し、前記駆動コネクタは、前記継手半体（２．１／２．２）の前記ハウジング軸（３５．１／３５．２）に対して横断方向の駆動軸（１５．１／１５．２）の周りで、前記駆動シャフト（１６．１／１６．２）を回転可能に支持すること；並びに
前記バルブシャフト（１７．２／１７．１）は、関連する前記ロータリーバルブ（６．２／６．１）の前記回転体（７．２／７．１）の回転を駆動するために、他方の前記継手半体（２．２／２．１）の前記継手ハウジング（３．２／３．１）の外側に露出し、ここで、それぞれ同一の前記継手ハウジング（３．１／３．２）の構成部品である前記駆動シャフト（１６．１／１６．２）及び前記バルブシャフト（１７．１／１７．２）は、互いに対して周方向角度がオフセットされて配設され、前記駆動コネクタ（１４．１／１４．２）は前記駆動シャフト（１６．１／１６．２）を支持し、前記駆動コネクタは一方の前記継手ハウジング（３．１／３．２）に固定され、また２つの前記継手半体（２．１／２．２）を着脱可能に接続したときに前記ロック接続（１３．２／１３．１）が構成されるように、外側に他方の前記継手ハウジング（３．２／３．１）を越えて突出すること
を特徴とする、請求項１に記載の流体継手。
【請求項３】
前記駆動シャフト（１６．１／１６．２）及び前記バルブシャフト（１７．１／１７．２）が各前記継手ハウジング（３．１／３．２）上でオフセットされる前記周方向角度は、１８０°である、請求項２に記載の流体継手。
【請求項４】
一方の前記継手半体（２．１／２．２）の前記駆動デバイス（１０．１／１０．２）の前記駆動コネクタ（１４．１／１４．２）は、把持用縁部（１９．１／１９．２）を備える、関連する前記連結手段（１１．１／１１．２）の構成部品を形成する連結用爪（１８．１／１８．２）として構成され、前記把持用縁部（１９．１／１９．２）は、前記連結側部（５．１／５．２）を互いにクランプ係合する前記継手半体（２．１／２．２）の着脱可能な接続のために、他方の前記継手半体（２．２／２．１）の前記継手ハウジング（３．２／３．１）上の、関連する半径方向突出部（２０．２／２０．１）に、着脱可能に後方から係合し、前記把持用縁部（１９．１／１９．２）及び前記半径方向突出部（２０．１／２０．２）は１対の爪型接続を形成し、前記継手軸（４）の周りでの２つの前記継手半体（２．１／２．２）の相対回転運動により、係合させること、及び前記係合に対応して係合解除することができることを特徴とする、請求項は２又は３に記載の流体継手。
【請求項５】
各前記継手半体（２．１／２．２）において、前記半径方向突出部（２０．１／２０．２）は、ハウジング基部（２２．１／２２．２）の基部後方縁部（２３．１／２３．２）によって形成され、前記基部後方縁部は、前記連結側部（５．１／５．２）の反対側を向いており、前記バルブシャフト（１７．１／１７．２）を収容することを特徴とする、請求項４に記載の流体継手。
【請求項６】
２つの前記ロック接続の間の領域に２対の爪型接続が配設されることを特徴とする、請求項４に記載の流体継手。
【請求項７】
前記継手半体（２．１／２．２）の接続を中央に配置するために、前記２対の爪型接続それぞれを円錐状に中央に配置し、ここで前記把持用縁部（１９．１／１９．２）及び関連する前記半径方向突出部（２０．１／２０．２）は、前記継手軸（４）を横断して斜め外側に、前記連結側部（５．１／５．２）から離れるように後方に向けられ、互いに嵌合することを特徴とする、請求項４〜６のいずれか１項に記載の流体継手。
【請求項８】
一方の前記継手半体（２．１／２．２）の前記駆動コネクタ（１４．１／１４．２）はある表面セグメントで形成され、前記表面セグメントは、前記流体継手（１）の円筒形の周の１／４にわたって延在し、また前記継手ハウジング（３．２／３．１）の外側の対応する自由外周領域（２６．１／２６．２）と関連付けられて、前記継手半体（２．１／２．２）と他方の前記継手半体（２．２／２．１）との接続を確立することを特徴とする、請求項２〜７のいずれか１項に記載の流体継手。
【請求項９】
一方の前記継手半体（２．１／２．２）の前記表面セグメントは、他方の前記継手半体（２．２／２．１）の前記継手ハウジング（３．２／３．１）の円筒状外側表面と同心であることを特徴とする、請求項８に記載の流体継手。
【請求項１０】
一方又は両方の前記継手半体（２．１／２．２）の各前記駆動シャフト（１６．１／１６．２）は、手動で、又は作動手段（３６．１／３６．２）を用いてモータで、動かすことができることを特徴とする、請求項２〜９のいずれか１項に記載の流体継手。
【請求項１１】
前記継手半体（２．１／２．２）の接続を中央に配置するために、前記ハウジング外縁部（２４．１／２４．２）は、一方の前記継手ハウジング（３．１／３．２）の前記連結側部の端部に形成され、前記ハウジング外縁部は、他方の前記継手ハウジング（３．２／３．１）上に配設された前記駆動コネクタ（１４．２／１４．１）の相補的な内縁部（２５．２／２５．１）に嵌合することを特徴とする、請求項２〜１０のいずれか１項に記載の流体継手。
【請求項１２】
前記ロック接続（１３．１／１３．２）は、前記駆動デバイス（１０．２／１０．１）上及び駆動に関連する前記回転体（７．１／７．２）上に配設されたロック要素（２７．１／２７．２；３４．１／３４．２）を形成する接続パートナーへの形状適合接続によって形成されることを特徴とする、請求項１〜１１のいずれか１項に記載の流体継手。
【請求項１３】
前記形状適合接続の前記接続パートナーは、少なくとも１つのばね要素（２９．１／２９．２）と、前記ばね要素（２９．１／２９．２）に関連する少なくとも１つの第１の溝（３０．２／３０．１）とで形成され、前記第１の溝（３０．２／３０．１）は、前記ロック接続（１３．２／１３．１）に関連する前記回転体（７．２／７．１）に回転不可能に接続され、ここで前記少なくとも１つのばね要素（２９．１／２９．２）は、前記継手半体（２．１／２．２）が接続されて前記相対回転運動に関してロックされると、前記少なくとも１つの第１の溝（３０．２／３０．１）内に格納されることを特徴とする、請求項１２に記載の流体継手。
【請求項１４】
前記形状適合接続の前記接続パートナーは、少なくとも１つの第２の溝（３１．２／３１．１）を有し、前記第２の溝（３１．２／３１．１）は、前記少なくとも１つの第１の溝（３０．２／３０．１）の、関連する前記ロータリーバルブ（６．２／６．１）の閉鎖位置に対応する回転位置においてのみ、前記少なくとも１つの第１の溝（３０．２／３０．１）と整列され、ここで前記少なくとも１つのばね要素（２９．１／２９．２）は、格納保持接続を離れたり確立したりすることによって、前記継手半体（２．１／２．２）の前記相対回転運動を可能とするために、前記少なくとも１つの整列された第２の溝（３１．２／３１．１）を通して案内できることを特徴とする、請求項は１３に記載の流体継手。
【請求項１５】
前記形状適合接続は、前記接続パートナーの形状構成によって個別化されたコーディング（３２．１／３２．２）を備えることを特徴とする、請求項１２〜１４のいずれか１項に記載の流体継手。
【請求項１６】
前記ロック接続（１３．１／１３．２）は、前記継手軸（４）の周りでの前記継手半体（２．１／２．２）の前記相対回転運動を所定の方法で制限する当接停止部分（３３．１／３３．２）によって形成されることを特徴とする、請求項１〜１５のいずれか１項に記載の流体継手。
【請求項１７】
関連する前記ロータリーバルブ（６．１／６．２）内の前記回転体（７．１／７．２）の前記流体通路（８．１／８．２）、及び関連する前記ロック接続（１３．１／１３．２）は、前記ロータリーバルブ（６．１／６．２）が少なくとも１０°の切り替え角度まで閉鎖されるように、互いに適合され、ここで前記切り替え角度は、前記ロータリーバルブ（６．１／６．２）を開放するための前記継手半体（２．１／２．２）の自由な相対回転運動が存在する場合に、前記回転体（７．１／７．２）を前記バルブ軸（９．１／９．２）の周りで回転位置から回転させることができる角度であることを特徴とする、請求項１〜１６のいずれか１項に記載の流体継手。
【請求項１８】
前記２つの継手半体（２．１／２．２）の前記ロータリーバルブ（６．１／６．２）はボールバルブであることを特徴とする、請求項１〜１７のいずれか１項に記載の流体継手。
【請求項１９】
前記２つの継手半体（２．１／２．２）の前記ロータリーバルブ（６．１／６．２）はプラグバルブであることを特徴とする、請求項１〜１８のいずれか１項に記載の流体継手。
【請求項２０】
流体継手（１）の継手半体（２．１／２．２）、特に請求項１〜１９のいずれか１項に記載の流体継手（１）の２つの対応する同様の継手半体（２．１／２．２）のうちの１つであって、
連結側部（５．１／５．２）及びハウジング軸（３５．１／３５．２）を備えた継手ハウジング（３．１／３．２）を有する前記継手半体（２．１／２．２）は、前記流体継手（１）を、対応する前記継手半体（２．１／２．２）によって形成された同様の連結部分で接合するための、独立した連結部分であり、
前記継手半体（２．１／２．２）は：前記継手ハウジング（３．１／３．２）上で回転可能に支持された回転体（７．１／７．２）を備えたロータリーバルブ（６．１／６．２）と；流体通路（８．１／８．２）であって、前記回転体を通り、また回転位置が前記流体通路（８．１／８．２）及びこれに伴う前記ロータリーバルブ（６．１／６．２）の開閉のために制御可能である、流体通路（８．１／８．２）とを有する、継手半体（２．１／２．２）において、
切り替え可能な駆動デバイス（１０．１／１０．２）が前記継手半体（２．１／２．２）上に配設及び構成され、前記駆動デバイスは、対応する同様の連結可能な前記継手半体（２．２／２．１）の前記ロータリーバルブ（６．２／６．１）の前記回転体（７．２／７．１）のバルブシャフト（１７．１／１７．２）への駆動接続及び固定接続を制御するための、駆動シャフト（１６．１／１６．２）を有すること；並びに
前記継手半体（２．１／２．２）に関連する前記ロータリーバルブ（６．１／６．２）は、バルブシャフト（１７．１／１７．２）を有し、前記バルブシャフト（１７．１／１７．２）は、対応する同様の継手半体（２．２／２．１）の対応した制御を行う前記駆動デバイス（１０．２／１０．１）への駆動接続及び固定接続のために、前記継手ハウジング（３．１／３．２）の外側に露出すること
を特徴とする、継手半体（２．１／２．２）。
【請求項２１】
前記駆動デバイス（１０．１／１０．２）は、前記継手ハウジング（３．１／３．２）に固定された駆動コネクタ（１４．１／１４．２）を有し、前記駆動コネクタは、前記連結側部（５．１／５．２）の前方に、前記ハウジング軸（３５．１／３５．２）に対して平行に突出して、前記駆動シャフト（１６．１／１６．２）を支持することを特徴とする、請求項２０に記載の継手半体（２．１／２．２）。
【請求項２２】
前記回転体（７．１／７．２）の前記バルブシャフト（１７．１／１７．２）を収容するハウジング基部（２２．１／２２．２）が、前記継手ハウジング（３．１／３．２）の外側に形成されることを特徴とする、請求項２０又は２１に記載の継手半体（２．１／２．２）。
【請求項２３】
前記駆動シャフト（１６．１／１６．２）及び前記バルブシャフト（１７．１／１７．２）は、１８０°だけオフセットされて前記継手半体（２．１／２．２）の周上に配設されることを特徴とする、請求項２０〜２２のいずれか１項に記載の継手半体（２．１／２．２）。
【請求項２４】
前記継手半体（２．１／２．２）の連結用爪（１８．１／１８．２）は、前記駆動デバイス（１０．１／１０．２）の構成部品であり、前記連結用爪（１８．１／１８．２）は、対応する同様の前記継手半体（２．２／２．１）の対応する前記連結用爪（１８．２／１８．１）と共に、連結接続を確立するよう構成されることを特徴とする、請求項２０〜２３のいずれか１項に記載の継手半体（２．１／２．２）。
【請求項２５】
前記回転体（７．１／７．２）の前記バルブシャフト（１７．１／１７．２）を収容するハウジング基部（２２．１／２２．２）は、前記継手ハウジング（３．１／３．２）の外側に形成され、対応する同様の前記継手半体（２．２／２．１）の前記連結用爪（１８．２／１８．１）の把持用縁部（１９．２／１９．２）と係合するために形成された基部縁部（２３．１／２３．２）を有することを特徴とする、請求項２４に記載の継手半体（２．１／２．２）。
【請求項２６】
前記駆動デバイス（１０．１／１０．２）の前記駆動シャフト（１６．１／１６．２）は第１のロック要素（２７．１／２７．２）を有し、前記第１のロック要素（２７．１／２７．２）は回転運動に関して、関連する前記継手半体（２．１／２．２）の前記ロータリーバルブ（６．２／６．１）の前記回転体（７．２／７．１）の前記バルブシャフト（１７．２／１７．１）に回転不可能に接続でき、前記第１のロック要素は、前記ロータリーバルブ（６．２／６．１）を閉鎖する所定の回転位置へと移動させることができ、前記所定の回転位置においてのみ、対応する前記継手半体（２．２／２．１）の前記バルブシャフト（１７．２／１７．１）へのロック接続（１３．２／１３．１）の確立及び解放が可能であること；
前記継手半体（２．１／２．２）の前記ロータリーバルブ（６．１／６．２）の前記回転体（７．１／７．２）の前記バルブシャフト（１７．１／１７．２）は、第２のロック要素（３４．１／３４．２）を有し、前記第２のロック要素（３４．１／３４．２）は、対応する前記継手半体（２．２／２．１）の前記第１のロック要素（２７．２／２７．１）と共に、ロック接続（１３．１／１３．２）を形成するよう構成され、前記ロック接続（１３．１／１３．２は、前記ロータリーバルブ（６．１／６．２）を開放すると同時に着脱不可能とし、またロータリーバルブ６．２が閉鎖されているときにしか解放できないこと
を特徴とする、請求項２０〜２５のいずれか１項に記載の継手半体（２．１／２．２）。
【請求項２７】
前記第１のロック要素（２７．１／２７．２）は、対応する前記継手半体（３．２／３．１）の前記第２のロック要素（３４．２／３４．１）への形状適合接続を確立するために、前記駆動デバイス（１０．１／１０．２）の前記駆動シャフト（１６．１／１６．２）に形成された、少なくとも１つのばね要素（２９．１／２９．２）を有することを特徴とする、請求項２６に記載の継手半体（２．１／２．２）。
【請求項２８】
前記第２のロック要素（３４．１／３４．２）は、対応する前記継手半体（３．２／３．１）の前記第１のロック要素（２７．２／２７．１）への形状適合接続を確立するために、少なくとも１つの第１の溝（３０．１／３０．２）を有し、前記溝は、前記回転体（７．１／７．２）を前記継手ハウジング（３．１／３．２）上に回転可能に支持するバルブシャフト（１７．１／１７．２）上に形成され、前記継手ハウジング（３．１／３．２）の外側に露出することを特徴とする、請求項２６又は２７に記載の継手半体（２．１／２．２）。
【請求項２９】
前記第２のロック要素（３４．１／３４．２）は少なくとも１つの第２の溝（３１．１／３１．２）を有し、前記第２の溝（３１．１／３１．２）は、前記継手ハウジング（３．１／３．２）上に、外側に露出した状態で、前記ハウジング軸（３５．１／３５．２）を横断する方向の溝として構成され、前記バルブシャフト（１７．１／１７．２）のある回転位置においてしか、前記少なくとも１つの第１の溝（３１．１／３１．２）と整列しないことを特徴とする、請求項２８に記載の継手半体（２．１／２．２）。
【発明の詳細な説明】
【技術分野】
【０００１】
本発明は、その連結側部において着脱可能に接続された２つの継手半体（ｃｏｕｐｌｉｎｇ  ｈａｌｆ）で構成された、流体継手に関し、各上記継手半体は、継手ハウジングを有し、ロータリーバルブを備え、継手軸に沿って整列され、上記継手半体は、各上記ロータリーバルブが上記継手軸を横断する方向のバルブ軸の周りで回転可能となるように、上記継手ハウジング上に設置された回転体と、上記回転体を横断する流体通路とを有し；上記流体通路は、上記バルブ軸の周りでの上記回転体の制御可能な回転位置に応じて、上記ロータリーバルブを開閉し；上記回転体のうちの１つと、その回転位置を制御するために関連付けられている、駆動デバイスが、各上記継手半体上に配設され；各上記継手半体は、上記継手半体を接続する連結手段を備え、ここで上記接続は、上記継手軸の周りでの上記継手半体の相対回転運動による、連結解除及びその反対の連結のために、着脱可能なものとして確立でき；上記継手半体は固定手段を有し、上記固定手段は、少なくとも１つの上記ロータリーバルブが開放されているときに、上記継手半体の上記接続を固定するために、上記相対回転運動をブロックし、また上記継手半体の接続解除及びこれに対応する接続のために、上記２つのロータリーバルブの閉鎖を固定する。
【０００２】
本発明はまた、流体継手の継手半体に関し、連結側部及びハウジング軸を備えた継手ハウジングを有する上記継手半体は、上記流体継手を、対応する上記継手半体によって形成された同様の連結部分で接合するための、独立した連結部分であり、上記継手半体は：上記継手ハウジング上で回転可能に支持された回転体を備えたロータリーバルブと；流体通路であって、上記回転体を通り、またその回転位置が上記流体通路及びこれに伴う上記ロータリーバルブの開閉のために制御可能である、流体通路とを有する。上記継手ハウジングは特に、円筒状基体によって形成され、上記円筒状基体は、これに対応する円筒状キャビティを備え、上記円筒状キャビティは、上記回転体がその中に位置する流路を形成する。
【背景技術】
【０００３】
ロータリーバルブは通常、バルブボールを備えたボールバルブ、又は回転体としてロータリーコーンを備えたプラグバルブとして設計される。ロータリーバルブを備えたこのような流体継手に関して典型的には、複数の回転体が、継手半体の接続後に別個に、従って順次作動させられる。流体継手は、液体又は気体媒体を流体として輸送又は搬送するためのパイプ及び／又はタンクの密閉接続に使用される。回転体は切り替えシャフトによって駆動され、上記切り替えシャフトは駆動シャフトであり、９０°の回転によって閉鎖回転位置から開放回転位置へ、又はその逆へと移動させられる。駆動シャフトは、ハンドルを用いて手動で、又は好適な電動手段で自動的に、駆動される。流体継手は、誤操作に対して保護される必要がある。これは、ロータリーバルブが閉鎖されているときには、一方又は他方の継手半体を形成する連結パートナーが接続されていない限り、回転体の駆動をブロックする必要があり、更に、ロータリーバルブのうちの１つが開放されている限り、連結された継手半体の接続を固定する必要があることを意味する。
【０００４】
継手ハウジングに一体化された固定用歯車が公知であり（例えば特許文献１、２）、これはロータリーバルブの駆動シャフトと協働する。継手の接続の偶発的な係合解除を防止するために、ロータリーバルブが開放される回転位置へと回転体が回転すると、継手半体の連結側部上の、ハウジング軸に対して平行な歯車ピンが、固定用歯車によって突出するように伸長し、上記ピンが、反対側の継手半体上に形成されたロック用凹部と係合する。ロータリーバルブが閉鎖されており、継手が接続されていない場合に、回転体の駆動シャフトの回転運動を固定するために、各継手ハウジング内にばね荷重式の軸方向に平行な第２のロック用ピンを更に設置することが知られており、これは、継手半体が互いから接続解除されたときに連結側部にばね荷重によって突出し、この状態において駆動シャフトと係合してこれをロックすることにより、駆動シャフトの回転をブロックする。継手半体が一体に接合されているとき、上記第２のロック用ピンは継手ハウジング内へと押し戻され、これによって駆動シャフトを開放して回転できるようにする。この公知の固定手段は、製造に関して、並びに各継手ハウジングに複数の独立した部品及び機能面を有する構成に関して、相当な労力を必要とする。特に、各継手ハウジングの壁に、特別な孔、歯車部品、歯、及びばね蓄圧器を形成及び収容する必要がある。これにより摩耗が発生し、また操作上の誤動作が発生しやすくなる。これら複数の構成部品は製造コストを増大させる。これにより、高い生産速度での連続生産が妨げられる。
【先行技術文献】
【特許文献】
【０００５】
【特許文献１】国際公開第２０１０／１２５４４２号
【特許文献２】独国実用新案第２０３１４１９７号
【発明の概要】
【発明が解決しようとする課題】
【０００６】
本発明の目的は、ロータリーバルブの簡潔な駆動を提供すること、並びにそれと同時に、連結状態における継手軸の周りでの２つの継手半体の回転運動の固定のため、及び流体継手から接続解除された継手半体のロータリーバルブが閉鎖されたときのロータリーバルブの回転体の回転運動の固定のための固定手段を、簡略化及び改良することである。この簡略化は、従来の流体継手の固定手段から摩耗性部品を排除することを意図している。更にこの簡略化は、継手半体の迅速な組み立て及び簡略化された設計、従ってコスト効率の高い生産にも結びつくはずである。
【課題を解決するための手段】
【０００７】
上述の目的は、上述の流体継手の特徴に関連して、本発明に従い、以下によって達成される：一方の継手半体に配設された駆動デバイスが、他方の継手半体のロータリーバルブの回転体のバルブシャフトに関連する駆動シャフトを有し、継手半体が互いに接続されたときに、一方の継手半体の駆動シャフトを他方の継手半体のバルブシャフトに回転不可能かつ着脱可能に接続する、ロック接続が構成され、この回転体の回転位置はこれによって制御可能となり、継手軸の周りでの継手半体の相対回転運動がブロックされるものの、ロータリーバルブが閉鎖されると上記相対回転運動が可能となること。同様に、上述の目的は、上述の継手ハウジングの特徴に関連して、本発明に従い、以下によって達成される：切り替え可能な駆動デバイスが継手半体上に配設及び構成され、上記デバイスは、対応する同様の接続可能な継手半体のロータリーバルブの回転体のバルブシャフトへの駆動接続及び固定接続を制御するための、駆動シャフトを有すること；並びに継手半体に関連するロータリーバルブがバルブシャフトを有し、上記バルブシャフトは、対応する同様の継手半体の対応した制御を行う駆動デバイスへの駆動接続及び固定接続のために、継手ハウジングの外側に露出すること。
【０００８】
本発明によると、これにより多数の利点が達成される。切り替えのため、即ち他方の継手半体のロータリーバルブを駆動するための、一方の継手半体上の駆動デバイスの配設を用いると、本発明により、一方の継手半体のロータリーバルブの駆動シャフトを、他方の継手半体のバルブシャフトを作動させる切り替え素子とすることが達成される。この設計の結果、継手半体が相互接続されている、即ち連結されているときに、回転体の切り替え位置、即ち回転位置を簡単な方法で交互に制御できる。一方の継手半体の駆動シャフトの切り替えによって、他方の継手半体のバルブの状態を決定することが達成され、これにより、交互の切り替え接続及び制御接続を、従来必要であった固定用部品を用いずに、継手半体を連結状態とすることによって直接決定できる。これは、２つの駆動デバイスを用いる場合、各継手半体が、確実な切り替えに関して、対向する継手半体の存在に依存していることを意味する。２つの継手半体の間の２つの切り替え接続を確立するだけで、２つの継手半体を、継手軸の周りでの回転運動に対して連結状態に固定できること、継手半体の連結解除又は連結のためのこのような回転運動は、各ロータリーバルブが閉鎖状態である場合にのみ可能であることが、簡単な方法で実現される。本発明によると、一方の継手半体の駆動デバイスと、他方の継手半体の回転体とのロック接続しか必要でない。いずれの場合においても、一方の継手半体の駆動シャフトは、他方の継手半体のバルブシャフトに、回転不可能かつ着脱可能に接続される。この接続は、ロータリーバルブが閉鎖されている場合にのみ、継手軸の周りでの継手半体の相対回転運動を可能とするため、流体継手から接続解除された継手半体のロータリーバルブを確実に閉鎖して、流体継手を形成するための接合の後に横断方向に配設されるロック接続を用いなければ容易に開放できないようにすることができる。従ってロック接続は、連結接続の固定、及び流体継手から接続解除された継手半体の閉鎖されたロータリーバルブの固定の両方のための、簡潔な固定手段を形成する。摩耗性部品を形成する従来の歯車部品は排除される。比較的低い製造コスト及び改善された耐用年数で、特に大量生産において最適な生産時間が達成される。
【０００９】
継手半体の「対応する同様の（ｃｏｒｒｅｓｐｏｎｄｉｎｇｌｙ  ｓｉｍｉｌａｒ）」実施形態とは、ロータリーバルブ、駆動デバイス、及び連結手段のタイプに関して一致していることを意味する。これは、本発明がまず、全く同一の継手半体、従っていわゆるユニセックス継手を包含していることを意味する。例えば連結側部は、例えば真空対応継手を得るために、異なる密閉表面を有するようにも構成できる。また回転体を非対称とすることによって、継手半体が接続されてロータリーバルブが開放されたときに回転体が係合して乾式継手を形成するようにすることもできる。
【００１０】
流体継手の一実施形態は：一方の継手半体の駆動デバイスが、継手ハウジングに固定された駆動コネクタを有し、上記駆動コネクタは、継手半体のハウジング軸に対して横断方向の駆動軸の周りで、駆動シャフトを回転可能に支持すること；及びバルブシャフトが、関連するロータリーバルブの回転体の回転を駆動するために、他方の継手半体の継手ハウジングの外側に露出することからなり、ここで、それぞれ同一の継手ハウジングの構成部品である駆動シャフト及びバルブシャフトは、互いに対して周方向角度がオフセットされて配設され、駆動コネクタは駆動シャフトを支持し、上記駆動コネクタは一方の継手ハウジングに固定され、また２つの継手半体を着脱可能に接続したときにロック接続が確立されるように、ハウジング軸に沿って外側に他方の継手ハウジングを越えて突出する。生産の観点からすると、駆動コネクタは、好ましくは一体として形成された継手ハウジングの構成部品として、容易に製造できる。駆動コネクタは、凹状の内部輪郭を有する平坦なラグとして製造でき、上記凹状の内側輪郭は、これが部分的に重なる、特に円筒状である継手ハウジングの対応する凸状の外側輪郭に適合する。駆動シャフト及びバルブシャフトが各継手ハウジング上でオフセットされる上記周方向角度は１８０°であり、これにより、ハウジング軸を横断するハウジングの外周上の駆動コネクタが、有利には継手ハウジングの円筒形状に適合した形状である、好ましくは面積が大きな湾曲面のセグメントとして形成され、また２つの継手半体の駆動コネクタに、一致した外周構成が設けられる。
【００１１】
特に有利で好ましい実施形態は、一方の継手半体の駆動デバイスの駆動コネクタが、把持用縁部を備える、関連する連結手段の構成部品を形成する連結用爪として構成され、上記把持用縁部は、連結側部を互いにクランプ係合する継手半体の着脱可能な接続のために、他方の継手半体の継手ハウジング上の、関連する半径方向突出部に、着脱可能に後方から係合し、上記把持用縁部及び上記半径方向突出部は１対の爪型接続を形成し、２つの継手半体を互いにクランプ係合させるための、継手軸の周りでの２つの継手半体の相対回転運動により、これらを係合させること、及びこれに対応して係合解除することができることからなる。この実施形態は、別の重要な利点を達成する。駆動コネクタは、駆動デバイスの構成部品であるだけでなく、同時に流体継手の２つの連結用爪を形成する。その結果、駆動デバイスの一体構成部品である、好ましくは単一の連結用爪だけが、各継手半体上に設けられる。連結用爪と適合する継手半体の設計及び生産に関して、更なる相当な簡略化が達成される。対照的に、上述のタイプの従来の流体継手は、継手半体１つにつき２つの連結用爪を有するのが一般的である。
【００１２】
本発明は、連結手段の構成部品として構成される、又はそれによってのみ形成されることに限定されない。従って、連結手段の形成のために、各継手半体には従来の対応する連結要素が設けられ、上記連結要素は、セグメント状かつ爪状の軸方向に平行な突出部及び相補的な凹部を介して協働して、これらの部品のロック面を係合させることにより、継手半体を互いに向かってしっかりと牽引する。しかしながら、このような公知のバヨネットタイプの継手半体の接続は、爪の間の半径方向領域に配設されることになる、連結側部上の境界面シール及びバルブシールの構造的配置を妨げる。その結果、十分な耐圧性を有する壁の厚さを達成するために、ロータリーバルブの回転体が継手ハウジング内へと、ある量だけ軸方向にオフセットされることになる。これはまた、流体継手内のロータリーバルブが閉鎖されたときにロータリーバルブの間に発生する流体の残量が増大するという影響も有する。本発明によると、この欠点は製造が技術的に複雑でもある従来のバヨネットタイプの連結手段の代わりに、連結用爪として駆動コネクタを提供することによって、容易に排除できる。この極めて簡潔な爪による接続を用いると、回転体を、連結側部に、従って接続解除点に、比較的近づけることができ、これによって残留物の蓄積を削減でき、また継手半体の断面直径を比較的小さく維持することにより、必要な壁の厚さを維持することもできる。
【００１３】
有利には、ハウジング基部は継手半体の外側に形成され、上記ハウジング基部は、回転体のバルブシャフトを、特に沈められた状態で収容する。
【００１４】
製造の観点から更に簡略化された特にコンパクトな実施形態は、各継手半体において、連結手段の半径方向突出部が、ハウジング基部の基部後方縁部によって形成され、上記基部後方縁部は、ハウジング軸を横断して連結側部の反対側を向いており、バルブシャフトを収容することからなる。端部が自由であり、かつ半径方向突出部を形成する、駆動コネクタの横断方向縁部は、把持用縁部を形成できる。半径方向突出部としての把持用縁部はまた、継手ハウジング上の対応する部品に後方から係合するために、駆動コネクタの内側に設けることもできる。このような実施形態により、２つのロック接続の間の領域に２対の爪型接続を配設でき、またこれらを、連結側部に対して平行な垂直平面内において、特に連結側部に近づけて設けることができる。
【００１５】
有利には、駆動コネクタによって形成される連結用爪との連結接続を特別に固定してこれを堅固なものとするために、特別な手段を設けることができる。ある有利な手段は、継手半体の接続を中央に配置するために、２対の爪型接続それぞれを円錐状に中央に配置し、把持用縁部及び関連する半径方向突出部を、継手軸を横断して斜め外側に、連結側部から離れるように後方に向け、これによって互いに嵌合させることからなる。継手半体を半径方向中央に配置するために、ハウジング外縁部もまた、連結側部上の、一方の継手ハウジングの端部に形成でき、上記ハウジング外縁部は、他方の継手ハウジング上に配設された駆動コネクタの相補的な内縁部と嵌合する。
【００１６】
ある有利な実施形態によると、一方の継手半体の駆動コネクタはある表面セグメントで形成され、この表面セグメントは、継手ハウジングの円筒形の横方向の周の少なくともおよそ１／４にわたって延在し、また継手ハウジングの外側の対応する自由外周領域と関連付けられて、この継手半体を他方の継手半体に接続する。継手半体の接続のための特に有利な実施形態は、１８０°の周方向角度での、流体継手における駆動シャフトとバルブシャフト又は駆動コネクタとのオフセット配置と組み合わせて達成される。継手半体は、以下のようにして一体とすることができる。まずこれらの継手半体を、連結側部が分離平面において互いに衝突するまで、駆動コネクタの軸方向に平行な長手方向自由縁部に沿って、継手軸の周りでの継手半体の最大の回転運動によって、継手軸の方向に互いに向かって摺動させる。継手半体を連結接続状態としてロック接続を形成するためには、継手軸の周りでちょうど９０°又はおよそ９０°だけ回転運動を実施する必要しかない。
【００１７】
有利には、ロック接続は、駆動デバイス上及び駆動に関連する回転体上に配設されたロック要素を形成する接続パートナーへの形状適合接続によって形成される。回転不可能かつ着脱可能な接続は、形状適合接続の接続パートナーが、少なくとも１つのばね要素と、これに関連する少なくとも１つの第１の溝とで形成され、上記第１の溝は、ロック接続に関連する回転体に回転不可能に接続されるという点で、特に簡単に達成される。少なくとも１つのばね要素は、継手半体が接続されて相対回転運動に関してロックされると、少なくとも１つの第１の溝内に格納されて保持され、これによって継手軸の周りでの継手半体の回転運動がブロックされる。有利には、少なくとも１つの第２の溝が設けられ、これは継手ハウジング上に静止して形成され、少なくとも１つの第１の溝の、関連するロータリーバルブの閉鎖位置に対応する回転位置においてのみ、継手軸を横断する周方向において少なくとも１つの第１の溝と整列され、ここで少なくとも１つのばね要素は、格納保持接続を離れたり確立したりすることによって、継手軸の周りでの継手半体の相対回転運動を可能とするために、少なくとも１つの整列された第２の溝を通して案内できる。有利には、ロック接続は当接停止部分によって形成され、これは、継手軸の周りでの継手半体の相対回転運動を所定の方法で制限して、連結接続を確立する。
【００１８】
第１の溝は有利には、バルブシャフトの円形の前面の、特に凹状に湾曲した貫通スロットとして形成される。断面が円形であるバルブシャフトは、対応する断面を有するハウジングの凹部内に配置される。
【００１９】
形状適合接続には、接続パートナーの形状構成によって個別化されたコーディングを設けることもできる。上記コーディングは、接続パートナーが互いに適合した形状を有し、上記形状が合わせてキー／ロック接続を形成することからなる。従って、一体となった継手半体だけを互いに連結できる。例えばコーディングは、嵌合した平ばねを備えたスロット溝によって形成される。別の例は、バルブシャフトの端面の三角形又はくさび形の溝であり、これは関連する適切な形状のロック接続のばねを備え、上記ばねは、特にそのテーパ及び／又は垂直辺によって、当接停止部分を形成する。
【００２０】
各継手半体において、回転体の流体通路及びロック接続は、切り替え角度を設定するために、互いに特に容易に適合させることができる。流体通路は好ましくは、ロータリーバルブが少なくとも１０°の切り替え角度まで閉鎖されるように配設され、この切り替え角度は、ロータリーバルブを開放するための継手半体の自由な相対回転運動が存在する場合に、回転体をそのバルブ軸の周りで回転位置から回転させることができる角度であり、ロータリーバルブは９０°の切り替え角度において完全に開放される。
【００２１】
従属請求項は、本発明の上述の実施形態、及び他の好都合かつ有利な実施形態を対象とする。概略図に図示されている実施形態の以下の説明に基づいて、１つ以上の特定の好都合かつ有利な実施形態のみを更に詳細に説明する。ある実施形態において説明される独立した又は詳細な設計はそれぞれ、説明されていないか又は完全には説明されていない本発明の範囲内となる他の実施形態及び設計のための、構造的に独立した詳細な例として理解されるものとする。高次の独立した関連性を有する設計又は特徴は、特に用語「一般的な（ｇｅｎｅｒａｌ）」によって強調される。
【図面の簡単な説明】
【００２２】
【図１】図１は、ロータリーバルブが閉鎖された状態の２つの同様の継手半体の着脱可能な連結接続における、本発明による流体継手の中央長手方向断面である。
【図２】図２は、ロータリーバルブが閉鎖された状態の、図１による流体継手から分離された継手半体の軸測投影図である。
【図３Ａ−３Ｂ】図３Ａ、３Ｂは、ロータリーバルブが閉鎖された状態の、継手半体のうちの一方のロック接続を通る、図１による流体継手のＡ‐Ａに従った長手方向断面図である。
【図４Ａ−４Ｂ】図４Ａ、４Ｂは、ロータリーバルブが開放された状態の、ロック接続を通る、図１によるＢ‐Ｂに従った長手方向断面図である。
【図５Ａ−５Ｂ】図５Ａ、５Ｂは、本発明による継手半体のロック接続のバルブシャフトの実施形態を示す。
【発明を実施するための形態】
【００２３】
図１による本発明の流体継手１は一般に、分離平面３９に沿って対照な２つの同様の継手半体２．１、２．２から組み立てられる。流体継手１では、２つの継手半体２．１／２．２のハウジング軸３５．１／３５．２は、中央継手軸４と一致する。図２は、図１の２つの継手半体のうちの左側を、参照番号に数字１を加えて示す。図１の右側の、この実施形態において同一である第２の継手半体２．２は、他の関連する図においてと同様に、参照番号に数字２を追加して説明される。
【００２４】
この実施形態の継手半体２．１／２．２は完全に同一であるが、本発明によるロック接続１３．１／１３．２の説明は、ロータリーバルブを備える本発明による継手半体にも同様に全体的に当てはまり、ここでは、継手半体がその結合側部に、例えば異なる密閉手段によって、又は接続のために係合するロータリーバルブの回転体によって、形成される。継手半体の連結接続部品、例えばパイプ用のノズル、タンク等もまた、異なる設計を有してよい。
【００２５】
本実施形態では、各継手半体２．１／２．２は、バルブボールの形態の回転体７．１／７．２を備えたロータリーバルブ６．１／６．２を有する。回転体７．１／７．２は、円筒状セクションを有する継手ハウジング３．１／３．２上で、ハウジング軸３５．１／３５．２に対して垂直な方向のバルブ軸９．１／９．２の周りで回転可能に支持される。ハウジング軸３５．１／３５．２は、継手ハウジング３．１／３．２の円筒の軸である。各継手半体２．１／２．２は、継手ハウジング３．１／３．２に密閉状態で嵌合する連結接続部品４０．１／４０．２を有する。継手ハウジング３．１／３．２及び連結接続部品４０．１／４０．２の、軸方向に平行な通過空間は、流体のための流路を画定し、この流路内に回転体７．１／７．２が配設される。
【００２６】
本実施形態では、連結接続部品４０．１／４０．２は、図示されていないパイプへの螺合接続のために、ねじ山を備える。一方の継手半体２．１／２．２の継手ハウジング３．１／３．２は、噛合部品として提供される他方の同様の継手半体２．２／２．１のための連結側部５．１／５．２を有する。互いに嵌合する部品、及び互いに対して移動可能な各継手半体２．１／２．２の部品は、ガスケット等の従来の密閉手段を用いて、流体通路に対して密閉される。
【００２７】
回転体７．１／７．２は、これを通過する流体通路８．１／８．２を有する。バルブ軸９．１／９．２の周りでの回転体７．１／７．２の回転位置に応じて、ロータリーバルブ６．１／６．２は、流体通路８．１／８．２がハウジング軸３５．１／３５．２に対して平行に整列されている場合、即ち軸方向に平行である場合には開放され、また流体通路８．１／８．２がハウジング軸３５．１／３５．２又は流体経路を横断して最終的にハウジング軸３５．１／３５．２又は流体経路に対して垂直となる位置となった場合には閉鎖される。ロータリーバルブ６．１／６．２が開放されているとき、流体継手を通る流路が利用可能となる。
【００２８】
回転体７．１／７．２は一般に、回転体７．１／７．２に回転不可能に接続されているジャーナル等の軸受シャフトを用いて、いずれの好適な方法で、継手ハウジング３．１／３．２のバルブ軸９．１／９．２の周りで回転可能に支持できる。シャフト軸受の軸受シャフトはバルブシャフト１７．１／１７．２で形成され、これによって回転体７．１／７．２を、ロータリーバルブ６．１／６．２の閉鎖位置及び開放位置へと、バルブ軸９．１／９．２の周りで回転させることができ、即ち切り替えることができる。
【００２９】
本発明によると、駆動シャフト１６．１／１６．２は、駆動デバイス１０．１／１０．２及びロック接続１３．１／１３．２の構成部品として特別に形成される。一般に相互接続されたロック要素によって画定されるロック接続１３．１／１３．２の重要な特徴は、特に図１、図３Ａ、３Ｂ、図４Ａ、４Ｂから確認できる。各継手半体２．１／２．２には、他方の継手半体２．２／２．１のバルブシャフト１７．２／１７．１への接続のための、関連する駆動シャフト１６．１／１６．２を備える、駆動デバイス１０．１／１０．２のうちの一方が配設される。
【００３０】
図３Ａ、３Ｂ、４Ａ、４Ｂは、駆動デバイス１０．１を更に詳細に示し、これは継手半体２．１上に配設され、継手半体２．２のロータリーバルブ６．２に関連付けられている。駆動デバイス１０．１は、ロータリーバルブ６．２の回転体７．２のバルブシャフト１７．２に関連する駆動シャフト１６．１を有する。継手半体２．２では、この関連付けはロック接続１３．２を含み、このロック接続１３．２は、継手半体２．１／２．２が相互接続されたときに、駆動シャフト１６．１をバルブシャフト１７．２に回転不可能に接続する。この接続により、回転体７．２の回転位置を、継手半体２．１に配設された駆動デバイス１０．１によって制御でき、更に継手軸４の周りでの継手半体２．１／２．２の相対回転運動がブロックされるが、ロータリーバルブ６．１／６．２が閉鎖されるとこの相対回転運動は可能となる。
【００３１】
駆動デバイス１０．１は一般に、継手ハウジング３．１に固定された駆動コネクタ１４．１を有し、これは、特に図２から確認できるように、ハウジング軸３５．１に対して平行に、またその結果として連結側部５．１の前方において継手軸４に対して平行に突出して、駆動シャフト１６．１を支持する。駆動シャフト１６．１は、バルブシャフト１７．２と共に、継手軸４に対して垂直な共通の接続平面４４．２内に配置されるように、分離平面３９又は連結側部５．１から離間する。駆動デバイス１０．１の駆動シャフト１６．１は第１のロック要素２７．１を有し、これは回転運動に関して、継手半体２．２のバルブシャフト１７．２に回転不可能に接続でき（図２）、また回転不可能に接続され（図１、図３Ａ、３Ｂ、図４Ａ、４Ｂ）、上記第１のロック要素は、ロータリーバルブ６．２を閉鎖する所定の回転位置へと移動させることができ、この位置においてのみ、バルブシャフト１７．２へのロック接続１３．２の確立及び解放が可能である。
【００３２】
ロータリーバルブ６．２の回転体７．２のバルブシャフト１７．２は第２のロック要素３４．２を有し、これは、継手半体２．１の第１のロック要素２７．１へのロック接続１３．２を確立するよう構成され、上記ロック接続１３．２は、ロータリーバルブ６．２を開放すると同時に着脱不可能となり、またロータリーバルブ６．２が閉鎖されているときにしか解放できない。
【００３３】
第１のロック要素２７．１は一般に、継手半体２．２の第２のロック要素３４．２への形状適合接続を確立するよう構成される。第１のロック要素２７．１は、駆動デバイス１０．１の駆動シャフト１６．１上に形成されたばね要素２９．１である。第２のロック要素３４．２は、ばね要素２９．１への形状適合接続を確立するための、関連する第１の溝３０．２を有し、この溝は、回転体７．２を回転可能に支持するバルブシャフト１７．２上に形成され、このバルブシャフト１７．２によって、継手ハウジング３．２の外側に露出させられる。第１の溝３０．２は、断面が円形であるバルブシャフト１７．２の前面に構成された貫通スロットによって形成される。第２のロック要素３４．２は第２の溝３１．２を有し、これは継手ハウジング３．２上で静止しており、外側へと開いており、横断方向の、即ちハウジング軸３５．２に対して垂直方向の溝として構成され、これは、バルブシャフト１７．２の、対応する横断方向を向いた回転位置において、即ち回転体７．２の、ロータリーバルブ６．２を閉鎖する回転位置においてしか、第１の溝３０．２と整列しない。形状適合接続において、凹状表面を有する第１のロック要素２７．１／２７．２は一般に、第２のロック要素３４．２／３４．１の対応する凸状表面に適合する。
【００３４】
図３Ａ、３Ｂ、図１は、閉鎖位置にあるロータリーバルブ６．２を示す。この位置では、駆動シャフト１６．１のばね要素２９．１は、流路又はハウジング軸３５．２に対して横断方向の平面又は垂直な平面内に配置される。ばね要素２９．１は、バルブシャフト１７．２の自由端面に導入される第１の溝３０．２を、継手ハウジング３．２の周上の、ハウジング軸３５．２を横断する同一の周方向に整列させ、ロータリーバルブ６．２は閉鎖される。バルブシャフト１７．２のこの回転位置では、第１の溝３０．２は第２の静止した溝３１．２と整列される。これにより、２つの継手半体２．１／２．２を継手軸４の周りで互いに対して回転させることができるようになる。第１の溝３０．２からのばね要素２９．１の解放は、第２の溝３１．２を通る一方向、又は第１の溝３０．２への挿入のための逆方向においてしか発生し得ない。というのは、第１の溝３０．２は、第２の溝３１．２に対向する側部において、当接停止部分３３．２によって閉鎖されているためである。
【００３５】
ばね要素２９．１は、継手半体が接続されて継手軸４の周りでの相対回転運動に関してブロックされると、第１の溝３０．２内に格納されて保持される。この格納保持接続は、バルブシャフト１７．２、従って第１の溝３０．２が、パッドを形成するハウジング基部２２．２のチャンバ状の凹部内に配置されることによって形成される。上記凹部の断面は、バルブシャフト１７．２の円筒状断面に対応する。第１の溝３０．２が第２の溝３１．２と整列するバルブシャフト１７．２の回転位置を除いて、第１の溝３０．２は上記凹部の縁部によって横方向に閉鎖されたままとなる。閉鎖された第１の溝３０．２に関連する回転体７．２の回転位置では、継手半体２．１／２．２は一体に接合されて流体継手１を形成する。図４Ａ、４Ｂは、ロータリーバルブ６．２が完全に開放され、ロック接続１３．２が関連する位置にある状態の、流体継手１を示す。溝の整列位置では、凹部の縁部は当接停止部分３３．２を形成し、これは、接続のために、継手軸４の周りでの継手半体２．１／２．２の相対回転運動を所定の方法で制限する。
【００３６】
いずれの場合においても、駆動シャフト１６．１／１６．２は、本実施形態の螺合接続によって、本実施形態では作動用ハンドルによって形成される作動手段３６．１／３６．２に、回転不可能に接続される。一方の継手半体２．１／２．２上のこのような作動手段３６．１／３６．２によって、対応する他方の継手半体２．２／２．１上のロータリーバルブ６．１／６．２を回転動作させ、従って切り替える。上記作動手段は、自動動作のためのアクチュエータ等の電動手段によって提供できる。
【００３７】
第２の継手半体２．２上の、図３Ｂ、４Ｂに示すような駆動デバイス１０．１及びロック接続１３．２について上述した。継手半体２．１上の駆動デバイス１０．２及びロック接続１３．１が、特に図１、２から確認できるように、全く同様に設計及び構成されることは、本発明の一部である。
【００３８】
第１のロック要素２７．１／２７．２及び第２のロック要素３４．１／３４．２は接続パートナーを形成し、これらは一般に、コーディング、即ちキー／ロック接続を形成できる。本実施形態では、キー／ロック接続は、平坦で、関連するスロット形状の第１の溝３０．２／３０．１に正確に係合する、ばね要素２９．１／２９．２によって画定される。例えばキー／ロック接続は、図５Ａに示すように、第２のロック要素３４．１／３４．２が、バルブシャフト１７．１／１７．２に導入された平行に走行する連続した平行溝である二重溝４１．１／４１．２を有することによっても形成される。この接続は、図示されていない２つの好適なばね要素を含み、これらは、溝４１．１／４１．２との整列のために、駆動シャフト１６．１／１６．２、及び図示されていない第２のロック要素の第２の溝又は凹部に、平行に配設される。図５Ｂもまた、キー／ロック接続の一例を示す。ここでは第２のロック要素は、バルブシャフト１７．１／１７．２に構成された三角形状の溝４２．１／４２．２を有し、そこに当接停止部分３３．１／３３．２が、三角形状の溝４２．１／４２．２の垂直壁によって形成される。この接続は、溝４２．１／４２．２の開放された側部との整列のために、図示されていない駆動シャフト１６．２／１６．１の対応する形状のばね要素、及び図示されていない第２のロック要素の第２の溝又は凹部を含む。
【００３９】
いずれの場合においても、駆動シャフト１６．１／１６．２及びバルブシャフト１７．１／１７．２は、継手半体２．１／２．２の横方向の周上において１８０°だけオフセットされる。分離平面３９に関する２つの継手半体２．１／２．２の鏡像としての同一性が達成され、これにより、駆動デバイス１０．１／１０．２の、従ってロック接続１３．１／１３．２の空間的配置が特に好ましいものとなり、また図１〜４Ｂに示すように、接続のための継手半体２．１／２．２の取り扱いが簡潔になる。しかしながら、２つの継手半体それぞれの周上での、駆動シャフト及びバルブシャフトの周方向オフセットは、１８０°に限定されない。一方の継手半体上の駆動シャフト及びバルブシャフトは垂直平面内にある必要はないが、流体継手に関連する継手半体の周方向オフセットは、同一の周方向角度で反対方向に提供する必要がある。
【００４０】
各継手半体２．１／２．２は連結手段１１．１／１１．２を備え、これにより、継手軸４と同一直線上で互いに接合するために、２つの継手半体２．１／２．２を、その連結側部５．１／５．２を用いて、継手軸４の周りでの相対回転運動によって、クランプ係合接続の形成のために引き合わせたり、又は解放したりすることができる。例えば、図示されていないバヨネットタイプ連結接続である従来の接続部品を、連結手段として設けることができる。しかしながら、本発明のある特定の実施形態は、図１〜４Ｂに示すように、単一の連結用爪１８．１／１８．２の形状の、各継手半体２．１／２．２の駆動デバイス１０．１／１０．２の駆動コネクタ１４．１／１４．２が、連結手段１１．１／１１．２の構成部品を形成することからなる。
【００４１】
連結用爪１８．１／１８．２は把持用縁部１９．１／１９．２を有し、これは、連結側部５．１／５．２を互いにクランプ係合させる着脱可能な接続のために、他方の継手半体２．２／２．１の継手ハウジング３．２／３．１上の、関連する半径方向突出部２０．２／２０．１に、着脱可能に後方から係合する。あるいは、把持用縁部１９．１／１９．２及び半径方向突出部２０．２／２０．１は、１対の爪型接続を形成し、継手軸４の周りでの２つの継手半体２．１／２．２の相対回転運動によって、係合させる、及びこれに対応して係合解除することができる。継手半体２．１／２．２上では、バルブシャフト１７．１／１７．２を沈められた状態で収容するハウジング基部２２．１／２２．２の基部後方縁部２３．１／２３．２によって、半径方向突出部２０．１／２０．２が形成される。
【００４２】
２対の爪型接続はそれぞれ、円錐状に中央に配置され、把持用縁部１９．１／１９．２及び関連する半径方向突出部２０．２／２０．１は、継手軸４を横断して斜め外側に、連結側部５．１／５．２から離れるように後方に向けられ、互いに嵌合する。この円錐状の中央配置の１つの利点は、継手半体２．１／２．２がこれによって特に堅固に接続され、移動できないように互いに対して半径方向に固定されることである。継手半体２．１／２．２の接続を中央に配置することによって、特に連結手段１１．１／１１．２の設計を２つの連結用爪１８．１／１８．２だけで最適化するための更なる手段は、ハウジング外縁部２４．１／２４．２を、一方の継手ハウジング３．１／３．２の連結側部の端部に形成することからなり、上記ハウジング外縁部は、特に図１から確認できるように、他方の継手ハウジング３．２／３．１上に配設された駆動コネクタ１４．２／１４．１の相補的な内縁部２５．２／２５．１に嵌合する。
【００４３】
図２、３Ａ、４Ａから特に明らかなように、各駆動コネクタ１４．１／１４．２、従って各連結用爪１８．１／１８．２は一般に平坦な表面セグメントによって形成され、上記表面セグメントは、継手ハウジング２．１／３．２又は流体継手１の円筒形の周の少なくともおよそ１／４にわたって、ハウジング軸３５．１／３５．２を横断する周方向に延在する。上記表面セグメントは、他方の継手半体２．２／２．１上の継手ハウジング３．２／３．１の外側の対応する自由外周領域２６．１／２６．２と関連付けられる。これらの表面セグメントにより、連結用爪１８．１／１８．２が特に平坦であるものの高弾性の構成部品となる一方で、継手半体２．１／２．２を特別な方法で案内して互いに接合できるようになる。
【００４４】
本発明によるロック接続１３．１／１３．２を確立するために、継手半体２．１／２．２は、連結用爪１８．１／１８．２の表面セグメントが、駆動コネクタ１４．１／１４．２とハウジング基部２２．１／２２．２との間の自由外周領域２６．１／２６．２によって形成される空間へと、連結側部５．１／５．２が分離平面３９において互いに接触するまで押し込まれるように位置決めされる。このプロセスでは、２つの駆動シャフト１６．１／１６．２は、９０°又はおよそ９０°の周方向距離に配置される。案内は、２つの継手半体２．１／２．２を一体となるように押すと、駆動コネクタ１４．１／１４．２の軸方向に平行な側面又は縁部４３．１／４３．２が、継手半体２．１／２．２の位置決めのために摺動するように互いに接触することによって発生する。連結側部５．１／５．２が互いに当接すると、ロック手段２７．１／２７．２、３４．２／３４．１がそれらの接続平面４４．１／４４．２において整列位置となり、これにより２つの継手半体は、これらを当接停止部分３３．１／３３．２に到達するまで継手軸４の周りで回転させることによって、これらの連結接続位置に容易に配置できる。作動手段３６．１／３６．２によって導入されたトルクは、ロータリーバルブ６．１／６．２の回転体７．１／７．２の交互の回転駆動のために、一方の継手半体２．１から他方の継手半体２．２へと伝達される。駆動シャフト１６．１／１６．２及びバルブシャフト１７．２／１７．１の回転不可能な軸方向シャフト組立体が回転する間、ばね要素２９．１／２９．２は、チャンバを形成するバルブシャフト１７．１／１７．２の凹部内に格納される。
【００４５】
上述のように、本発明による駆動デバイス１０．１／１０．２、及びロック要素２７．１／２７．２、３４．１／３４．２によるロック接続１３．１／１３．２は、駆動シャフト１６．１／１６．２を流体継手１内のバルブシャフト１７．２／１７．１に接続するだけではない。それと同時にこれらは一般に固定手段１２．１／１２．２を形成し、これは、第１のロック要素２７．１／２７．２が第２のロック要素３４．２／３４．１のチャンバ状凹部内に格納されている間、少なくとも１つのロータリーバルブ６．１／６．２が開放されているときに、連結接続を固定するために継手軸４の周りでの継手半体２．１／２．２の相対回転運動をブロックし、また、継手軸４の周りでの継手半体２．１／２．２の回転運動を、ロータリーバルブ６．１／６．２の両方が閉鎖され、第１のロック要素２７．１／２７．２が第２のロック要素３４．２／３４．１の一部と周方向に整列されるときにのみ可能とすることによって、継手半体２．１／２．２の接続解除及びこれに対応する接続のために、２つのロータリーバルブ６．１／６．２の閉鎖を確実なものとする。
【００４６】
一般に、関連するロータリーバルブ６．１／６．２内の回転体７．１／７．２の流体通路８．１／８．２の設計又はサイズ、及びこれに関連するロック接続１３．１／１３．２は、ロータリーバルブ６．１／６．２が少なくとも１０°の切り替え角度まで閉鎖されたままとなるように、互いに適合されると有利である。この切り替え角度は、ロータリーバルブ６．１／６．２を開放するための継手半体の自由な相対回転運動が存在する場合に、回転体７．１／７．２をそのバルブ軸９．１／９．２の周りで回転位置から回転させることができる角度である。ロータリーバルブ６．１／６．２は９０°の切り替え角度において完全に開放される。
【図１】
2021535344.tif 000003
【図２】
2021535344.tif 000004
【図３Ａ】
2021535344.tif 000005
【図３Ｂ】
2021535344.tif 000006
【図４Ａ】
2021535344.tif 000007
【図４Ｂ】
2021535344.tif 000008
【図５Ａ】
2021535344.tif 000009
【図５Ｂ】
2021535344.tif 000010
【手続補正書】
【提出日】令和3年2月9日(2021.2.9)
【手続補正１】
【補正対象書類名】図面
【補正対象項目名】全図
【補正方法】変更
【補正の内容】
【図１】
2021535344.tif 000011
【図２】
2021535344.tif 000012
【図３Ａ−３Ｂ】
2021535344.tif 000013
【図４Ａ−４Ｂ】
2021535344.tif 000014
【図５Ａ−５Ｂ】
2021535344.tif 000015
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
連結側部（５．１／５．２）において着脱可能に接続された２つの継手半体（２．１／２．２）で構成された、流体継手（１）であって、
各前記継手半体は、継手ハウジング（３．１／３．２）を有し、ロータリーバルブ（６．１／６．２）を備え、継手軸（４）に沿って整列され、前記継手半体は、各前記ロータリーバルブ（６．１／６．２）が前記継手軸（４）を横断する方向のバルブ軸（９．１／９．２）の周りで回転可能となるように、前記継手ハウジング（３．１／３．２）上に設置された回転体（７．１／７．２）と、前記回転体を横断する流体通路（８．１／８．２）とを有し、前記流体通路は、前記バルブ軸（９．１／９．２）の周りでの前記回転体（７．１／７．２）の制御可能な回転位置に応じて、前記ロータリーバルブ（６．１／６．２）を開閉し；
前記回転体（７．１／７．２）のうちの１つと、回転位置を制御するために関連付けられている、駆動デバイス（１０．１／１０．２）が、各前記継手半体（２．１／２．２）上に配設され；
各前記継手半体（２．１／２．２）は、前記継手半体（２．１／２．２）を接続する連結手段（１１．１／１１．２）を備え、ここで前記接続は、前記継手軸（４）の周りでの前記継手半体（２．１／２．２）の相対回転運動による、連結解除及びその反対の連結のために、着脱可能なものとして確立でき；
前記継手半体（２．１／２．２）は固定手段（１２．１／１２．２）を有し、前記固定手段（１２．１／１２．２）は、少なくとも１つの前記ロータリーバルブ（６．１／６．２）が開放されているときに、前記継手半体（２．１／２．２）の前記接続を固定するために、前記相対回転運動をブロックし、また前記継手半体（２．１／２．２）の接続解除及びこれに対応する接続のために、前記２つのロータリーバルブ（６．１／６．２）の閉鎖を固定する、流体継手（１）において、
一方の前記継手半体（２．１／２．２）に配設された前記駆動デバイス（１０．１／１０．２）が、他方の前記継手半体（２．２／２．１）の前記ロータリーバルブ（６．２／６．１）の前記回転体（７．２／７．１）のバルブシャフト（１７．２／１７．１）に関連する駆動シャフト（１６．１／１６．２）を有し、前記継手半体（２．１／２．２）が互いに接続されたときに、一方の前記継手半体（２．１／２．２）の前記駆動シャフト（１６．１／１６．２）を他方の前記継手半体（２．２／２．１）の前記バルブシャフト（１７．１／１７．２）に回転不可能かつ着脱可能に接続する、ロック接続（１３．２／１３．１）が構成され、前記回転体（７．２／７．１）の回転位置はこれによって制御可能となり、前記継手軸（４）の周りでの前記継手半体（２．１／２．２）の前記相対回転運動がブロックされるものの、前記ロータリーバルブ（６．１／６．２）が閉鎖されると前記相対回転運動が可能となることを特徴とする、流体継手（１）。
【請求項２】
一方の前記継手半体（２．１／２．２）の前記駆動デバイス（１０．１／１０．２）は、前記継手ハウジング（３．１／３．２）に固定された駆動コネクタ（１４．１／１４．２）を有し、前記駆動コネクタは、前記継手半体（２．１／２．２）の前記ハウジング軸（３５．１／３５．２）に対して横断方向の駆動軸（１５．１／１５．２）の周りで、前記駆動シャフト（１６．１／１６．２）を回転可能に支持すること；並びに
前記バルブシャフト（１７．２／１７．１）は、関連する前記ロータリーバルブ（６．２／６．１）の前記回転体（７．２／７．１）の回転を駆動するために、他方の前記継手半体（２．２／２．１）の前記継手ハウジング（３．２／３．１）の外側に露出し、ここで、それぞれ同一の前記継手ハウジング（３．１／３．２）の構成部品である前記駆動シャフト（１６．１／１６．２）及び前記バルブシャフト（１７．１／１７．２）は、互いに対して周方向角度がオフセットされて配設され、前記駆動コネクタ（１４．１／１４．２）は前記駆動シャフト（１６．１／１６．２）を支持し、前記駆動コネクタは一方の前記継手ハウジング（３．１／３．２）に固定され、また２つの前記継手半体（２．１／２．２）を着脱可能に接続したときに前記ロック接続（１３．２／１３．１）が構成されるように、外側に他方の前記継手ハウジング（３．２／３．１）を越えて突出すること
を特徴とする、請求項１に記載の流体継手。
【請求項３】
一方の前記継手半体（２．１／２．２）の前記駆動デバイス（１０．１／１０．２）の前記駆動コネクタ（１４．１／１４．２）は、把持用縁部（１９．１／１９．２）を備える、関連する前記連結手段（１１．１／１１．２）の構成部品を形成する連結用爪（１８．１／１８．２）として構成され、前記把持用縁部（１９．１／１９．２）は、前記連結側部（５．１／５．２）を互いにクランプ係合する前記継手半体（２．１／２．２）の着脱可能な接続のために、他方の前記継手半体（２．２／２．１）の前記継手ハウジング（３．２／３．１）上の、関連する半径方向突出部（２０．２／２０．１）に、着脱可能に後方から係合し、前記把持用縁部（１９．１／１９．２）及び前記半径方向突出部（２０．１／２０．２）は１対の爪型接続を形成し、前記継手軸（４）の周りでの２つの前記継手半体（２．１／２．２）の相対回転運動により、係合させること、及び前記係合に対応して係合解除することができることを特徴とする、請求項２に記載の流体継手。
【請求項４】
前記継手半体（２．１／２．２）の接続を中央に配置するために、前記２対の爪型接続それぞれを円錐状に中央に配置し、ここで前記把持用縁部（１９．１／１９．２）及び関連する前記半径方向突出部（２０．１／２０．２）は、前記継手軸（４）を横断して斜め外側に、前記連結側部（５．１／５．２）から離れるように後方に向けられ、互いに嵌合することを特徴とする、請求項３に記載の流体継手。
【請求項５】
一方の前記継手半体（２．１／２．２）の前記駆動コネクタ（１４．１／１４．２）はある表面セグメントで形成され、前記表面セグメントは、前記流体継手（１）の円筒形の周の１／４にわたって延在し、また前記継手ハウジング（３．２／３．１）の外側の対応する自由外周領域（２６．１／２６．２）と関連付けられて、前記継手半体（２．１／２．２）と他方の前記継手半体（２．２／２．１）との接続を確立することを特徴とする、請求項２〜４のいずれか１項に記載の流体継手。
【請求項６】
一方の前記継手半体（２．１／２．２）の前記表面セグメントは、他方の前記継手半体（２．２／２．１）の前記継手ハウジング（３．２／３．１）の円筒状外側表面と同心であることを特徴とする、請求項５に記載の流体継手。
【請求項７】
前記ロック接続（１３．１／１３．２）は、前記駆動デバイス（１０．２／１０．１）上及び駆動に関連する前記回転体（７．１／７．２）上に配設されたロック要素（２７．１／２７．２；３４．１／３４．２）を形成する接続パートナーへの形状適合接続によって形成されることを特徴とする、請求項１〜６のいずれか１項に記載の流体継手。
【請求項８】
前記形状適合接続の前記接続パートナーは、少なくとも１つのばね要素（２９．１／２９．２）と、前記ばね要素（２９．１／２９．２）に関連する少なくとも１つの第１の溝（３０．２／３０．１）とで形成され、前記第１の溝（３０．２／３０．１）は、前記ロック接続（１３．２／１３．１）に関連する前記回転体（７．２／７．１）に回転不可能に接続され、ここで前記少なくとも１つのばね要素（２９．１／２９．２）は、前記継手半体（２．１／２．２）が接続されて前記相対回転運動に関してロックされると、前記少なくとも１つの第１の溝（３０．２／３０．１）内に格納されることを特徴とする、請求項７に記載の流体継手。
【請求項９】
前記形状適合接続の前記接続パートナーは、少なくとも１つの第２の溝（３１．２／３１．１）を有し、前記第２の溝（３１．２／３１．１）は、前記少なくとも１つの第１の溝（３０．２／３０．１）の、関連する前記ロータリーバルブ（６．２／６．１）の閉鎖位置に対応する回転位置においてのみ、前記少なくとも１つの第１の溝（３０．２／３０．１）と整列され、ここで前記少なくとも１つのばね要素（２９．１／２９．２）は、格納保持接続を離れたり確立したりすることによって、前記継手半体（２．１／２．２）の前記相対回転運動を可能とするために、前記少なくとも１つの整列された第２の溝（３１．２／３１．１）を通して案内できることを特徴とする、請求項は８に記載の流体継手。
【請求項１０】
前記ロック接続（１３．１／１３．２）は、前記継手軸（４）の周りでの前記継手半体（２．１／２．２）の前記相対回転運動を所定の方法で制限する当接停止部分（３３．１／３３．２）によって形成されることを特徴とする、請求項１〜９のいずれか１項に記載の流体継手。
【請求項１１】
関連する前記ロータリーバルブ（６．１／６．２）内の前記回転体（７．１／７．２）の前記流体通路（８．１／８．２）、及び関連する前記ロック接続（１３．１／１３．２）は、前記ロータリーバルブ（６．１／６．２）が少なくとも１０°の切り替え角度まで閉鎖されるように、互いに適合され、ここで前記切り替え角度は、前記ロータリーバルブ（６．１／６．２）を開放するための前記継手半体（２．１／２．２）の自由な相対回転運動が存在する場合に、前記回転体（７．１／７．２）を前記バルブ軸（９．１／９．２）の周りで回転位置から回転させることができる角度であることを特徴とする、請求項１〜１０のいずれか１項に記載の流体継手。
【請求項１２】
前記２つの継手半体（２．１／２．２）の前記ロータリーバルブ（６．１／６．２）はプラグバルブであることを特徴とする、請求項１〜１１のいずれか１項に記載の流体継手。
【請求項１３】
流体継手（１）の継手半体（２．１／２．２）、特に請求項１〜１２のいずれか１項に記載の流体継手（１）の２つの対応する同様の継手半体（２．１／２．２）のうちの１つであって、
連結側部（５．１／５．２）及びハウジング軸（３５．１／３５．２）を備えた継手ハウジング（３．１／３．２）を有する前記継手半体（２．１／２．２）は、前記流体継手（１）を、対応する前記継手半体（２．１／２．２）によって形成された同様の連結部分で接合するための、独立した連結部分であり、
前記継手半体（２．１／２．２）は：前記継手ハウジング（３．１／３．２）上で回転可能に支持された回転体（７．１／７．２）を備えたロータリーバルブ（６．１／６．２）と；流体通路（８．１／８．２）であって、前記回転体を通り、また回転位置が前記流体通路（８．１／８．２）及びこれに伴う前記ロータリーバルブ（６．１／６．２）の開閉のために制御可能である、流体通路（８．１／８．２）とを有する、継手半体（２．１／２．２）において、
切り替え可能な駆動デバイス（１０．１／１０．２）が前記継手半体（２．１／２．２）上に配設及び構成され、前記駆動デバイスは、対応する同様の連結可能な前記継手半体（２．２／２．１）の前記ロータリーバルブ（６．２／６．１）の前記回転体（７．２／７．１）のバルブシャフト（１７．１／１７．２）への駆動接続及び固定接続を制御するための、駆動シャフト（１６．１／１６．２）を有すること；並びに
前記継手半体（２．１／２．２）に関連する前記ロータリーバルブ（６．１／６．２）は、バルブシャフト（１７．１／１７．２）を有し、前記バルブシャフト（１７．１／１７．２）は、対応する同様の継手半体（２．２／２．１）の対応した制御を行う前記駆動デバイス（１０．２／１０．１）への駆動接続及び固定接続のために、前記継手ハウジング（３．１／３．２）の外側に露出すること
を特徴とする、継手半体（２．１／２．２）。
【請求項１４】
前記駆動デバイス（１０．１／１０．２）は、前記継手ハウジング（３．１／３．２）に固定された駆動コネクタ（１４．１／１４．２）を有し、前記駆動コネクタは、前記連結側部（５．１／５．２）の前方に、前記ハウジング軸（３５．１／３５．２）に対して平行に突出して、前記駆動シャフト（１６．１／１６．２）を支持することを特徴とする、請求項１３に記載の継手半体（２．１／２．２）。
【請求項１５】
前記駆動シャフト（１６．１／１６．２）及び前記バルブシャフト（１７．１／１７．２）は、１８０°だけオフセットされて前記継手半体（２．１／２．２）の周上に配設されることを特徴とする、請求項１３又は１４に記載の継手半体（２．１／２．２）。
【請求項１６】
前記継手半体（２．１／２．２）の連結用爪（１８．１／１８．２）は、前記駆動デバイス（１０．１／１０．２）の構成部品であり、前記連結用爪（１８．１／１８．２）は、対応する同様の前記継手半体（２．２／２．１）の対応する前記連結用爪（１８．２／１８．１）と共に、連結接続を確立するよう構成されることを特徴とする、請求項１３〜１５のいずれか１項に記載の継手半体（２．１／２．２）。
【請求項１７】
前記回転体（７．１／７．２）の前記バルブシャフト（１７．１／１７．２）を収容するハウジング基部（２２．１／２２．２）は、前記継手ハウジング（３．１／３．２）の外側に形成され、対応する同様の前記継手半体（２．２／２．１）の前記連結用爪（１８．２／１８．１）の把持用縁部（１９．２／１９．２）と係合するために形成された基部縁部（２３．１／２３．２）を有することを特徴とする、請求項１６に記載の継手半体（２．１／２．２）。
【請求項１８】
前記駆動デバイス（１０．１／１０．２）の前記駆動シャフト（１６．１／１６．２）は第１のロック要素（２７．１／２７．２）を有し、前記第１のロック要素（２７．１／２７．２）は回転運動に関して、関連する前記継手半体（２．１／２．２）の前記ロータリーバルブ（６．２／６．１）の前記回転体（７．２／７．１）の前記バルブシャフト（１７．２／１７．１）に回転不可能に接続でき、前記第１のロック要素は、前記ロータリーバルブ（６．２／６．１）を閉鎖する所定の回転位置へと移動させることができ、前記所定の回転位置においてのみ、対応する前記継手半体（２．２／２．１）の前記バルブシャフト（１７．２／１７．１）へのロック接続（１３．２／１３．１）の確立及び解放が可能であること；
前記継手半体（２．１／２．２）の前記ロータリーバルブ（６．１／６．２）の前記回転体（７．１／７．２）の前記バルブシャフト（１７．１／１７．２）は、第２のロック要素（３４．１／３４．２）を有し、前記第２のロック要素（３４．１／３４．２）は、対応する前記継手半体（２．２／２．１）の前記第１のロック要素（２７．２／２７．１）と共に、ロック接続（１３．１／１３．２）を形成するよう構成され、前記ロック接続（１３．１／１３．２は、前記ロータリーバルブ（６．１／６．２）を開放すると同時に着脱不可能とし、またロータリーバルブ６．２が閉鎖されているときにしか解放できないこと
を特徴とする、請求項１３〜１７のいずれか１項に記載の継手半体（２．１／２．２）。
【請求項１９】
前記第２のロック要素（３４．１／３４．２）は、対応する前記継手半体（３．２／３．１）の前記第１のロック要素（２７．２／２７．１）への形状適合接続を確立するために、少なくとも１つの第１の溝（３０．１／３０．２）を有し、前記溝は、前記回転体（７．１／７．２）を前記継手ハウジング（３．１／３．２）上に回転可能に支持するバルブシャフト（１７．１／１７．２）上に形成され、前記継手ハウジング（３．１／３．２）の外側に露出することを特徴とする、請求項１８に記載の継手半体（２．１／２．２）。
【請求項２０】
前記第２のロック要素（３４．１／３４．２）は少なくとも１つの第２の溝（３１．１／３１．２）を有し、前記第２の溝（３１．１／３１．２）は、前記継手ハウジング（３．１／３．２）上に、外側に露出した状態で、前記ハウジング軸（３５．１／３５．２）を横断する方向の溝として構成され、前記バルブシャフト（１７．１／１７．２）のある回転位置においてしか、前記少なくとも１つの第１の溝（３１．１／３１．２）と整列しないことを特徴とする、請求項１９に記載の継手半体（２．１／２．２）。
【国際調査報告】
2021535344.tif 000016
2021535344.tif 000017
2021535344.tif 000018
2021535344.tif 000019
2021535344.tif 000020